(57)【特許請求の範囲】
【請求項１】
被検眼の前眼部を観察する前眼部観察手段と、
前記被検眼の眼底像を観察する眼底観察手段と、
前記前眼部観察手段による前眼部観察状態と前記眼底観察手段による眼底観察状態を切換える切換手段と、
前記被検眼の眼底に指標を投影する投影手段と、
該投影手段により被検眼の眼底に投影した指標の反射像を受光する受光手段と、該受光手段における受光が所定時間無い場合に前記眼底観察状態から前記前眼部観察状態に前記切換手段を切換える前眼部／眼底切換制御手段と、
を有することを特徴とする眼底カメラ。
【請求項２】
前記受光手段における過去所定回数分の受光有無状態を記憶する記憶手段と、
前記記憶手段に記憶した過去所定回数分の受光有無状態により前記眼底観察状態から前記前眼部観察状態に切換えるか否かを判定する前眼部／眼底切換判定手段と、を更に備え、前記前眼部／眼底切換制御手段は前記判定に基づいて制御することを特徴とする請求項１に記載の眼底カメラ。
【請求項３】
前眼部／眼底切換スイッチを更に備、
前眼部／眼底切換判定手段は前眼部／眼底切換スイッチの入力に従い前記眼底観察状態或いは前記前眼部観察状態のいずれかに切換えるか判定することを特徴とする請求項２に記載の眼底カメラ。
【請求項４】
前記被検眼の前眼部を照明する照明手段を更に備え、
前記前眼部観察状態から前記眼底観察状態に切換る場合に消灯されることを特徴とする請求項１乃至３のいずれか一項に記載の眼底カメラ。
【請求項５】
前記眼底観察状態から前記前眼部観察状態に切換る場合に前記投影手段は前記投影を停止することを特徴とする請求項１乃至３のいずれか一項に記載の眼底カメラ。
【請求項６】
被検眼を撮影する撮影光学系と、
前記撮影光学系に挿脱可能な前眼部観察レンズと、
前記被検眼の眼底にアライメント指標を投影する指標光学系と、
前記被検眼の眼底観察状態における前記アライメント指標像の位置に基づいてアライメントがずれたと判定された場合に自動的に前記前眼部観察レンズを前記撮影光学系に挿入して前記被検眼の前眼部観察状態にする制御部と、
を有することを特徴とする眼底カメラ。
【請求項７】
前記制御部は、前記被検眼の眼底画像に前記アライメント指標像が所定の期間映っていない場合に前記前眼部観察レンズを前記撮影光学系に挿入する制御をすること特徴とする請求項６に記載の眼底カメラ。
【請求項８】
前記指標光学系はアライメント指標を投影するための光源を有し、前記光源は前記前眼部観察レンズが前記撮影光学系に挿入される場合に消灯することを特徴とする請求項７に記載の眼底カメラ。
【請求項９】
前記指標光学系はアライメント指標を投影するための光源を有し、前記光源は前記前眼部観察レンズが前記撮影光学系から離脱し場合に点灯することを特徴とする請求項８に記載の眼底カメラ。
【請求項１０】
前記撮影光学系は前記被検眼に対向する対物レンズを備え、前記アライメント指標は前記対物レンズを介して前記被検眼の眼底に投影されることを特徴とする請求項６乃至９のいずれか一項に記載の眼底カメラ。
【請求項１１】
前記撮影光学系は動画用の撮影部を更に備え、
前記動画用の撮影部で得られた所定数のデジタル画像に前記アライメント指標指が入っていない場合にアライメントがずれたと判定され、前記制御部は
前記前眼部観察レンズを前記撮影光学系に挿入する制御をする
ことを特徴とする請求項６乃至１０のいずれか一項に記載の眼底カメラ。
【請求項１２】
前記撮影光学系は静止画用の撮影部を更に備えることを特徴とする請求項６乃至１１のいずれか一項に記載の眼底カメラ。
【請求項１３】
前記動画用の撮影部で撮像されたデジタル画像から前記アライメント指標像を検出する画像処理部を更に備え、前記画像処理部の出力に基づき前記制御部は所定のフレーム数の前記デジタル画像からアライメント指標像が検出できなかった場合に前記前眼部観察レンズを前記撮影光学系に挿入する制御をすることを特徴とする請求項１１又は１２のいずれかに記載の眼底カメラ。
【請求項１４】
前記指標光学系はアライメント指標を投影するための光源を複数有し、前記複数の光源をそれぞれ異なる周期で点灯することを特徴とする請求項６乃至１３のいずれか一項に記載の眼底カメラ。
【請求項１５】
指標光学系が被検眼の眼底にアライメント指標を投影する工程と、
前記被検眼の眼底画像に前記アライメント指標像が所定の期間映っていないか判定手段が判定する工程と、
前記所定の期間映っていないと判定された場合に、制御手段が前眼部観察レンズを前記被検眼の眼底画像の撮影光学系に挿入する制御をする工程と、
を有することを特徴とする眼底カメラの撮影方法。
【請求項１６】
被検眼の前眼部を観察する前眼部観察手段と、
前記被検眼の眼底像を観察する眼底観察手段と、
前記前眼部観察手段による前眼部観察状態と前記眼底観察手段による眼底観察状態を切換える切換手段と、
前記被検眼の眼底と前記眼底観察手段のアライメントがずれた場合に前記前眼部観察状態に前記切換手段を切換える前眼部／眼底切換制御手段と、
を有することを特徴とする眼底カメラ。
【請求項１７】
被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の前眼部に指標を投影する投影手段と、該投影手段により被検眼の前眼部に投影した指標の反射像を受光する受光手段と、前記眼底観察状態においてアライメント操作の入力の有無を検知する入力検知手段と、該入力検知手段により検知した最終入力からの経過時間を計測する計測手段と、前記受光手段における受光の有無及び前記計測手段による経過時間により前記眼底観察状態から前記前眼部観察状態に切換えるか否かを判定する判定手段とを有することを特徴とする眼底カメラ。
【請求項１８】
前記判定手段は前記受光手段における過去所定回数分の受光有無状態を記憶する記憶手段を有し、該記憶手段に記憶した過去所定回数分の受光有無状態により、前記眼底観察状態から前記前眼部観察状態に切換えるか否かを判定することを特徴とする請求項１７に記載の眼底カメラ。
【発明の詳細な説明】
【０００１】
【発明の属する技術分野】
本発明は、眼科医院等で使用される眼底カメラに関するものである。
【０００２】
【従来の技術】
従来から、無散瞳眼底カメラ等の眼科撮影装置において、被検者の眼底部を観察・撮影する場合は、先ず前眼部を観察しながら被検眼との大まかな位置合わせを行い、次に前眼部観察状態から眼底観察状態に切換え、被検眼眼底に投影されたアライメント指標の反射像をテレビモニタにより観察し、このアライメント指標が眼底の所定位置に投影されるように、装置本体を上下・左右方向に移動させることによって、被検眼と眼底カメラの光軸の精密な位置合わせを行っている。
【０００３】
しかし眼底観察状態時に、被検者の顔が移動するなどして被検眼との相対位置が大きくずれてしまった場合には、アライメント指標が観察されなくなってしまうため、眼底観察状態のままで被検眼との精密な位置合わせを行うことは困難である。
【０００４】
そのため、例えば特開平８−９８８０５号公報では被検者の顔移動検出手段を設け、眼底観察状態時における被検者の顔移動に連動して、眼底観察状態から前眼部観察状態に切換えることにより、撮影者がスイッチ操作を行わなくとも、大まかな位置合わせを効率良く行えるようにした眼科撮影装置が提案されている。
【０００５】
【発明が解決しようとする課題】
しかしながら上述の従来例においては、眼底観察状態時の被検眼との位置合わせは極めて微妙なものであるため、被検者の顔移動がなく被検眼が動くだけでもアライメント指標が観察されなくなることがある。また、操作者が位置合わせに熟練していない場合には、装置本体を上下・左右方向に移動させ過ぎることによってもアライメント指標が観察されなくなってしまう。そのため、被検者の顔移動のみに対応している上述の従来例では十分とは云えない。
【０００６】
本発明の目的は、上述の課題を解決し、被検眼前眼部に投影されたアライメント指標の反射像の観察状態に連動して、眼底観察状態から前眼部観察状態に切換えることにより、撮影者がスイッチ操作を行わなくとも大まかな位置合わせを効率良く行えるようにした眼科撮影装置を提供することにある。
【０００７】
【課題を解決するための手段】
上述の目的を達成するための本発明に係る眼底カメラは、被検眼の前眼部を観察する前眼部観察手段と、
前記被検眼の眼底像を観察する眼底観察手段と、
前記前眼部観察手段による前眼部観察状態と前記眼底観察手段による眼底観察状態を切換える切換手段と、
前記被検眼の眼底に指標を投影する投影手段と、
該投影手段により被検眼の眼底に投影した指標の反射像を受光する受光手段と、該受光手段における受光が所定時間無い場合に前記眼底観察状態から前記前眼部観察状態に前記切換手段を切換える前眼部／眼底切換制御手段と、
を有することを特徴とする。
【０００８】
また、本発明に係る眼底カメラは、被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の前眼部に指標を投影する投影手段と、該投影手段により被検眼の前眼部に投影した指標の反射像を受光する受光手段と、前記眼底観察状態においてアライメント操作の入力の有無を検知する入力検知手段と、該入力検知手段により検知した最終入力からの経過時間を計測する計測手段と、前記受光手段における受光の有無及び前記計測手段による経過時間により前記眼底観察状態から前記前眼部観察状態に切換えるか否かを判定する判定手段とを有することを特徴とする。
【０００９】
【発明の実施の形態】
本発明を図示の実施の形態に基づいて詳細に説明する。
図１は眼底カメラの構成図であり、被検眼Ｅに対向する対物レンズ１の後方の光路上には、光路中に挿脱自在な前眼部観察レンズ２、孔あきミラー３、この孔あきミラーの孔部に配置した撮影絞り４、光路方向に移動してピントを調整するフォーカスレンズ５、撮影レンズ６、切換ミラー７、静止画像用撮像部８を順次に配置する。更に、切換ミラー７の反射方向に、ミラー９、フィールドレンズ１０、結像レンズ１１、動画像用撮像部１２を配列する。切換ミラー７を光路外に離脱したときには、撮影光学系を構成して静止画像用撮像部８により撮像し、切換ミラー７を光路中に挿入したときには撮影光学系を構成し、動画像用撮像部１２により撮像する。
【００１０】
また、対物レンズ１の近傍には前眼部照明用光源１３を配置し、孔あきミラー３の入射方向には図示しない眼底照明光学系を設ける。なお、前眼部観察レンズ２が光路中に挿入されている場合には観察光学系は前眼部観察手段を構成し、前眼部観察レンズ２が光路外に離脱している場合には眼底観察手段を構成する。
【００１１】
孔あきミラー３の孔部内における撮影絞り４の両側に光ファイバ１４ａ、１４ｂの端部を配置し、光ファイバ１４ａ、１４ｂの他端部には、赤外光を発するアライメント指標照明用光源１５ａ、１５ｂに接続し、指標照明光学系を構成する。
【００１２】
静止画像用撮像部８、動画像用撮像部１２の出力は、メモリ２１ａを有する画像制御部２１に接続し、画像制御部２１の出力はテレビモニタ２２、画像処理部２３に接続する。画像処理部２３は前眼部／眼底切換判定部２４を介して前眼部／眼底切換制御部２５に接続する。前眼部／眼底切換制御部２５の出力はアライメント指標照明用光源１５ａ、１５ｂ、前眼部照明用光源１３、前眼部観察レンズ２に接続する。また、前眼部／眼底切換判定部２４は、図示しない前眼部／眼底切換えスイッチに接続する。
【００１３】
前眼部観察レンズ２が光路中に挿入されている場合には、前眼部照明用光源１３を発した赤外光の前眼部からの反射光は、対物レンズ１、前眼部観察レンズ２、撮影絞り４、フォーカスレンズ５、撮影レンズ６、切換ミラー７、ミラー９、フィールドレンズ１０、結像レンズ１１を介して動画像用撮像部１２により前眼部画像として撮像され、画像制御部２１を介してテレビモニタ２２に表示される。
【００１４】
前眼部観察レンズ２が光路中から離脱されている場合には、図示しない眼底照明光学系を発した赤外光の眼底Ｅｒからの反射光は、対物レンズ１、撮影絞り４、フォーカスレンズ５、撮影レンズ６、切換ミラー７、ミラー９、フィールドレンズ１０、結像レンズ１１を介して動画像用撮像部１２により眼底画像として撮像されテレビモニタ２２に表示される。この前眼部観察レンズ２が光路中から離脱されている場合には、アライメント指標照明用光源１５ａ、１５ｂからの光は、光ファイバ１４ａ、１４ｂにより導光され、孔あきミラー３の孔部から対物レンズ１を介して眼底Ｅｒを照明する。眼底Ｅｒからの反射光は、同様に動画像用撮像部１２により撮像されテレビモニタ２２に表示される。
【００１５】
画像制御部２１では、切換ミラー７を光路から離脱した撮影時には，静止画像用撮像部８で得る信号をＡ／Ｄ変換し、デジタル画像としてメモリ２１ａに格納する。また、画像制御部２１では、切換ミラー７を光路内に挿入した観察時には、動画像用撮像部１２から出力された信号をリアルタイムでＡ／Ｄ変換し、１フレーム毎にデジタル画像としてメモリ２１ａに格納する。
【００１６】
このような構成において、撮影者が眼底観察状態において、図示しない前眼部／眼底切換スイッチを押すと、前眼部／眼底切換判定部２４により眼底観察状態から前眼部観察状態に切換えると判定され、前眼部／眼底切換制御部２５により、前眼部観察レンズ２が光路中に挿入され、前眼部照明用光源１３が点灯し、アライメント指標照明用光源１５ａ、１５ｂを消灯する。
【００１７】
撮影者は前眼部観察状態において、前眼部を観察しながら被検眼Ｅとのおおまかな位置合わせを行う。この位置合わせが終了し、撮影者が前眼部観察状態において、前眼部／眼底切換スイッチを押すと前眼部／眼底切換判定部２４により、前眼部観察状態から眼底観察状態に切換えると判定され、前眼部／眼底切換制御部２５により、前眼部観察レンズ２が光路中から離脱され、前眼部照明用光源１３が消灯される。また、後述するようにアライメント指標照明用光源１５ａ、１５ｂを半周期ずれて点滅させる。
【００１８】
撮影者は眼底観察状態において、アライメント指標照明用光源１５ａ、１５ｂによって、被検眼Ｅの眼底Ｅｒに投影されたアライメント指標の反射像をテレビモニタ２２により観察し、このアライメント指標の反射像が眼底Ｅｒの所定位置に投影されるように、装置本体を上下・左右方向に移動させ、被検眼Ｅと眼底カメラの光軸の精密な位置合わせを行う。
【００１９】
本実施の形態では、撮影者が眼底観察状態において精密な位置合わせを行っている間に、アライメント指標照明用光源１５ａ、１５ｂにより眼底Ｅｒに投影されたアライメント指標の反射像がテレビモニタ２２により観察されない、つまり反射像が観察視野内に入っていない状態が、或るフレーム数以上続いた場合にアライメントが大きくずれたと判定して、眼底観察状態から前眼部観察状態に切換えるように構成している。
【００２０】
アライメント指標の反射像がテレビモニタ２２により観察されていないことを検出するためには、画像制御部２１によってメモリ２１ａに記憶されたデジタル画像に対して、１フレーム毎にアライメント指標の反射像の検出を行う必要がある。しかし、例えばアライメント指標照明用光源１５ａ、１５ｂを同一周期で点滅させると、アライメント指標の反射像が観察視野内に入っている場合でも、同時に消灯した時には、アライメント指標の反射像の検出は不可能であるため、アライメント指標の反射像が観察視野内に入っているか否かの判定をすることができない。そのため、上述したようにアライメント指標照明用光源１５ａ、１５ｂを半周期ずらして点滅させている。
【００２１】
アライメント指標照明用光源１５ａ、１５ｂの反射像１５ａ’、１５ｂ’の観察状態としては、反射像１５ａ’、１５ｂ’が共に観察視野内に入っている場合、何れか一方のみが観察視野内に入っている場合、共に観察視野内に入っていない場合が考えられる。
【００２２】
アライメント指標照明用光源１５ａ、１５ｂの反射像が共に観察視野内に入っている場合に、図２（ａ）に示すようにアライメント指標照明用光源１５ａのみが点灯している時間帯Ａには、アライメント指標照明用光源１５ａの反射像１５ａ’のみが受光され観察される。アライメント指標照明用光源１５ｂのみが点灯している時間帯Ｂには、アライメント指標照明用光源１５ｂの反射像１５ｂ’のみが受光され観察される。このように、アライメント指標の反射像１５ａ’、１５ｂ’の何れかが常に受光されるため、アライメント指標の反射像１５ａ’、１５ｂ’を常に検出することが可能である。
【００２３】
アライメント指標照明用光源１５ａ、１５ｂの反射像１５ａ’、１５ｂ’の何れか一方のみが観察視野内に入っている状態、例えばアライメント指標照明用光源１５ａの反射像１５ａ’のみが観察視野内に入っている場合には、図２（ｂ）に示すように、アライメント指標照明用光源１５ａのみが点灯している時間帯Ａには、アライメント指標照明用光源１５ａの反射像１５ａ’のみが受光され観察される。アライメント指標照明用光源１５ｂのみが点灯している時間帯Ｂでは、アライメント指標の反射像１５ｂ’は受光されず観察されない。そのため、観察視野内に入っているアライメント指標照明用光源が点灯している間のみ、アライメント指標の反射像１５ａ’又は１５ｂ’を検出することが可能である。
【００２４】
アライメント指標照明用光源１５ａ、１５ｂの反射像が共に観察視野内に入っていない場合には、図２（ｃ）に示すように、アライメント指標照明用光源１５ａのみが点灯している時間帯Ａ、アライメント指標照明用光源１５ｂのみが点灯している時間帯Ｂの何れにおいても、アライメント指標の反射像１５ａ’、１５ｂ’は受光されず観察されない。そのため、アライメント指標の反射像１５ａ’、１５ｂ’は常に検出することが不可能である。
【００２５】
以上のことから、アライメント指標照明用光源１５ａ、１５ｂの少なくとも点滅の半周期をこえる間、アライメント指標の反射像１５ａ’、１５ｂ’が検出されない場合には、アライメント指標の反射像１５ａ’、１５ｂ’が共に観察視野内に入っていないと考えられる。
【００２６】
図３のフローチャート図はこれらの事項に基づいた前眼部／眼底切換判定部２４の処理手順を示している。撮影者が前眼部観察状態において、前眼部／眼底切換スイッチを押し、前眼部観察状態から眼底観察状態に切換わったときに処理を開始する。
【００２７】
ステップ１００ではｎ＝０とする。ここで、ｎは連続してアライメント指標の反射像が検出されなかったフレーム数である。
【００２８】
ステップ１０１では、画像処理部２３によりメモリ２１ａに格納された１フレームのデジタル画像からアライメント指標の反射像の検出を行う。ステップ１０２では、ステップ１０１においてアライメント指標の反射像が検出された場合にステップ１００に戻る。アライメント指標の反射像が検出されなかった場合には、ステップ１０３に進む。
【００２９】
ステップ１０３では、ｎ＝ｎ＋１とする。つまり、連続してアライメント指標の反射像が検出されなかったフレーム数ｎを１つ増加する。ステップ１０４では、ｎ＞＝Ｔか否か判定する。ここで、Ｔは眼底観察状態から前眼部観察状態に切換えるか否かの閾値である。
【００３０】
上述したように、閾値Ｔはアライメント指標照明用光源１５ａ、１５ｂの点滅の半周期分のフレーム数を越える値である。ただし、閾値Ｔを小さくし過ぎると観察者が精密な位置合わせをしているときに、アライメント指標の反射像が観察視野内に入っていない状態が少しの間続いただけで、眼底観察状態から前眼部観察状態に切換わってしまう。そのため、撮影者が眼底観察状態から前眼部観察状態に切換わって欲しいと望む時間となるように、閾値Ｔを設定する必要がある。
【００３１】
ｎがＴ未満の時には、ステップ１０１に戻り、次フレームに対してアライメント指標の反射像の検出を行う。ｎがＴ以上のときにはステップ１０５に進む。ステップ１０５では、前眼部／眼底切換制御部２５により、眼底観察状態から前眼部観察状態に切換える。
【００３２】
以上の構成により、眼底観察状態において、アライメント指標の反射像が観察されていない状態がＴフレーム以上続いた場合、つまりアライメントが大きくずれてしまった場合に、自動的に前眼部観察状態になるため、前眼部／眼底切換スイッチを押すことなく、大まかな位置合わせを効率良く行うことが可能となる。
【００３３】
前眼部観察状態から眼底観察状態に切換えた直後から、アライメント指標の反射像が観察されていない状態が続く場合には、前眼部観察状態での大まかな位置合わせが不十分だったと考えられる。そのため、前眼部／眼底切換判定部２４において、前眼部観察状態から眼底観察状態に切換えた直後のみ、それ以外の時より閾値Ｔを小さくすることにより、前眼部観察状態での大まかな位置合わせが不十分だった場合には、直ちに前眼部観察状態に戻ることができるので、大まかな位置合わせを効率的に行うことが可能となる。
【００３４】
アライメント指標の反射像が観察されていない状態がＴフレーム以上続く場合でも、撮影者がアライメント操作している場合は、アライメント可能と思って操作していると考えられ、撮影者がアライメント操作を停止した場合には、アライメント不可能と思って停止したと考えられる。
【００３５】
そのため、先の実施形態の前眼部／眼底切換判定部２４において、アライメント指標の反射像が観察されていない状態がＴフレーム以上続いた場合でも、直ちに眼底観察状態から前眼部観察状態に切換えずに、アライメント指標が観察されていない状態がＴフレーム以上続き、かつ撮影者がアライメント操作していない状態が、或る時間以上続いたときに眼底観察状態から前眼部観察状態に切換えることも有効である。
【００３６】
図４は他の実施の形態の構成図を示し、図１に示す実施の形態に対して、メモリ３１ａを有するタイマ制御部３１を前眼部／眼底切換判定部２４に接続し、タイマ制御部３１にはタイマ３２を接続する。
【００３７】
この構成において、タイマ制御部３１は図５に示すフローチャート図の処理を行う。撮影者が前眼部観察状態において、図示しない前眼部／眼底切換スイッチを押し、前眼部観察状態から眼底観察状態に切換わったときに処理を開始する。
【００３８】
ステップ２００では、メモリ３１ａにタイマ値０を格納し、タイマ３２をスタートさせる。ステップ２０１では、本処理を終了するか否か判定する。眼底観察状態から前眼部観察状態に切換わったときには本処理を終了させる。眼底観察状態であるときには本処理を終了せずに、ステップ２０２に進む。
【００３９】
ステップ２０２では、図示しない入力検出部によりアライメント操作に関する入力がされたか否かを検出する。ステップ２０３では、ステップ２０２においてアライメント操作に関する入力が検出された場合は、ステップ２０４に進む。アライメント操作に関する入力が検出されなかった場合には、ステップ２０５に進む。
【００４０】
ステップ２０４では、メモリ３１ａにタイマ値０を格納し、タイマ３２をリセットして、ステップ２０１へ戻る。ステップ２０５では、タイマ３２から現在のタイマ値を取得し、メモリ３１ａに格納しステップ２０１に戻る。
【００４１】
タイマ制御部３１の処理と同時に、前眼部／眼底切換判定部２４は、図６に示すフローチャート図による処理を行う。撮影者が前眼部観察状態において、図示しない前眼部／眼底切換スイッチを押し、前眼部観察状態から眼底観察状態に切換わったときに処理を開始する。
【００４２】
ステップ３００ではｎ＝０とする。ステップ３０１では、画像処理部２３によりアライメント指標の反射像の検出を行う。ステップ３０２では、ステップ３０１においてアライメント指標の反射像が検出された場合に、ステップ３００に戻る。アライメント指標の反射像が検出されなかった場合に、ステップ３０３に進む。
【００４３】
ステップ３０３では、ｎ＝ｎ＋１とする。つまり、連続してアライメント指標の反射像が検出されなかったフレーム数ｎを１つ増加する。ステップ３０４では、メモリ３１ａからタイマ値を取得する。ステップ３０５では、ｎ＞＝Ｔでかつタイマ値＞＝Ｔｉｍｅか否か判定する。
【００４４】
ここで、Ｔｉｍｅはアライメント操作に関する入力がされない時間に関して、眼底観察状態から前眼部観察状態に切換えるか否かの閾値である。ＴｉｍｅはＴフレーム分の画像を処理する時間よりも長いことが望ましい。ｎ＞＝Ｔかつタイマ値＞＝Ｔｉｍｅのときには、ステップ３０６に進む。それ以外のときにはステップ３０１に戻り、次フレームに対してアライメント指標の反射像の検出を行う。ステップ３０６では、前眼部／眼底切換制御部２５により、眼底観察状態から前眼部観察状態に切換える。
【００４５】
このように、アライメント指標の反射像が観察されていない状態がＴフレーム以上続き、つまりアライメントが大きくずれ、かつ撮影者がアライメント操作を停止した場合に自動的に前眼部観察状態になるため、前眼部／眼底切換スイッチを押すことなく、おおまかな位置合わせを効率良く行うことが可能となる。
【００４６】
なお、本実施の形態では、画像処理部２３によりアライメント指標の反射像検出を行う方式を説明したが、眼底照明系光源の波長とアライメント指標照明用光源の波長を異ならせ、光路上に眼底照明系光源の波長を透過し、アライメント指標照明用光源の波長の一部を透過し、それ以外を反射するミラーを配置し、その反射方向にセンサを配置し、このセンサによってアライメント指標の反射像の検出を行ってもよい。
【００４７】
【発明の効果】
以上説明したように本発明に係る眼底カメラにおいては、眼底観察状態において、投影した指標の反射像が観察されるかどうかを判定し、自動的に前眼部観察状態になるため、被検者の顔移動、被検眼の移動、操作者が位置合わせに熟練しておらず、装置本体を上下・左右方向に移動させ過ぎること等によって、大きくアライメントがずれた場合に、自動的に前眼部観察状態になるため、前眼部／眼底切換スイッチを押すことなく、大まかな位置合わせを効率良く行うことが可能となる。
【図面の簡単な説明】
【図１】実施の形態の眼底カメラの構成図である。
【図２】アライメント指標の反射像の観察状態の説明図である。
【図３】前眼部／眼底切換判定部の動作フローチャート図である。
【図４】他の実施形態の眼底カメラの構成図である。
【図５】タイマ制御部の動作フローチャート図である。
【図６】前眼部／眼底切換判定部の動作フローチャート図である。
【符号の説明】
１  対物レンズ
２  前眼部観察レンズ
３  孔あきミラー
４  撮影絞り
５  フォーカスレンズ
６  撮影レンズ
７  切換ミラー
８  静止画像用撮像部
１１  結像レンズ
１２  動画像用撮像部
１３  前眼部照明用光源
１４ａ、１４ｂ  光ファイバ
１５ａ、１５ｂ  アライメント指標照明用光源
２１  画像制御部
２２  テレビモニタ
２３  画像処理部
２４  前眼部／眼底切換判定部
２５  前眼部／眼底切換制御部
３１  タイマ制御部
３２  タイマ
【図１】
0004817559.tif 000002
【図２】
0004817559.tif 000003
【図３】
0004817559.tif 000004
【図４】
0004817559.tif 000005
【図５】
0004817559.tif 000006
【図６】
0004817559.tif 000007